(57)【特許請求の範囲】
【請求項１】
電源装置のコードを介して接続された受電用接続部材が接続される第１の接続部材と、前記第１の接続部材と電気的に接続され外部電源からコードを介して接続された給電用接続部材が接続される第２の接続部材とを有する接続装置を備えた遊技機であって、
前記接続装置は、
前記第１の接続部材に前記受電用接続部材が接続されていない場合には、前記第２の接続部材は前記給電用接続部材と接続が不可能な状態であり、
前記第１の接続部材に前記受電用接続部材が接続された場合には、前記第２の接続部材は前記給電用接続部材と接続が可能な状態となるように構成されている
ことを特徴とする遊技機。
【請求項２】
前記接続装置は、
前記第１の接続部材の接続部が露出可能な第１の露出部と、
前記第２の接続部材の接続部が露出可能な第２の露出部とを有し、
前記第１の接続部材に前記受電用接続部材が接続されていない場合には、前記第１の接続部材の前記接続部が前記第１の露出部から露出するとともに、前記第２の接続部材が前記接続装置内に保持され、
前記第１の接続部材に前記受電用接続部材が接続された場合には、前記第１の接続部材が前記接続装置内に保持されるとともに、前記第２の接続部材の前記接続部が前記第２の露出部から露出するように構成されている
ことを特徴とする請求項１に記載の遊技機。
【請求項３】
前記第１の露出部と前記第２の露出部とは、前記接続装置の異なる面に形成されている
ことを特徴とする請求項２に記載の遊技機。
【請求項４】
前記第１の露出部と前記第２の露出部とは、前記接続装置の同一面に形成されている
ことを特徴とする請求項２に記載の遊技機。
【請求項５】
前記第１の接続部材は、前記接続装置内から前記第１の露出部まで移動可能に構成され、
前記第２の接続部材は、前記接続装置内から前記第２の露出部まで移動可能に構成され、
前記接続装置は、
回転軸に軸支されるとともに、一端に前記第１の接続部材が取り付けられ、他端に前記第２の接続部材が取り付けられた揺動部材と、
前記揺動部材に取り付けられ、前記第１の接続部材に前記受電用接続部材が接続されていない場合には、前記第１の接続部材の前記接続部を前記揺動部材を介して前記第１の露出部に露出させるとともに、前記第２の接続部材を前記揺動部材を介して前記接続装置内に保持する付勢部材とを備え、
前記第１の接続部材に前記受電用接続部材が接続された場合には、前記揺動部材の揺動により前記第２の接続部材の前記接続部を前記第２の露出部に露出させる
ことを特徴とする請求項４に記載の遊技機。
【請求項６】
前記接続装置は、
前記第１の接続部材に前記受電用接続部材が接続されていない場合に前記第２の露出部の少なくとも一部を閉鎖するシャッターを備え、
前記第１の接続部材に前記受電用接続部材が接続されることにより前記シャッターが開放され、前記第２の接続部材の前記接続部が前記第２の露出部から露出するように構成されている
ことを特徴とする請求項２乃至５のいずれかに記載の遊技機。
【発明の詳細な説明】
【技術分野】
【０００１】
本発明は、パチンコ店等の遊技店に設置されるパチンコ遊技機、雀球遊技機、アレンジボール等の弾球遊技機、スロットマシン等の回胴式遊技機などの遊技機に関し、特に、これら遊技機の電源まわりに関する。
【背景技術】
【０００２】
一般に、弾球遊技機や回胴式遊技機などの遊技機は、遊技機本体の背面や筐体内部等に制御基板や球発射装置等が配設されている。また、これら制御基板や球発射装置等に電源を供給する電源装置も遊技機本体の背面や筐体内部に配設されている。この電源装置には、電源コードを介して受電用コネクタ（電源プラグ）が接続されている。そして、遊技機を遊技店（ホール）の島等に設置した時には、その電源プラグを島側の給電用コネクタ（コンセントなど）に挿入して、この給電用コネクタから電源プラグを介して電源装置に電源を供給するように構成されている。しかし、ホールごとに給電用コネクタの位置が異なるため、電源コードを長めにして、どのホールでも電源コードが給電用コネクタまで届くようにしている。
【０００３】
遊技機を組み立てる際に、この長めの電源コードに何らの処置も施さないと、電源コードや電源プラグが組立装置や作業者等に引っ掛かるなど、組立作業の妨げとなることが多い。また、遊技機をホールに出荷する場合、遊技機を箱に梱包する必要があるが、その際に、電源コードが纏められていない場合には、電源コードや電源プラグが梱包用の箱に引っ掛かるなど、梱包作業の妨げになる。しかし、遊技機が組み上がった後は、出荷する前に、当該遊技機が所望の品質を備えているか否かを検査（品質検査）する必要がある。この場合、工場内に設置された電源装置から延出された電源コードの給電用コネクタに遊技機側の電源プラグを接続して当該遊技機を検査する。したがって、組立作業の際にフックやインシュロックなどにより電源コード及び電源プラグを纏めて遊技機本体に固定してしまうことも作業性の点で好ましくない。
【０００４】
そこで、従来の遊技機には、遊技機本体の背面に装着可能に形成され、かつ、受電用コネクタを保持可能な保持固定部を有する電源コードホルダを備えたものがある（例えば、特許文献１参照。）。
【０００５】
【特許文献１】特開２００５−０７４０９１号公報（請求項１，［０００４］，［００６４］〜［００７７］、図９）
【発明の開示】
【発明が解決しようとする課題】
【０００６】
上記特許文献１に記載された従来の遊技機では、電源プラグの先端部分（端子）が常に遊技機外部に露出した状態となっているため、外気等の影響により端子が酸化するなど、端子の品質が劣化して接触不良等、故障の原因になるおそれがある。また、上記した品質検査では、遊技機側の電源プラグと工場内に設置された電源装置から延出された電源コードの給電用コネクタとが直接接続される。この時、上記給電用コネクタが汚れている場合にはその汚れが上記電源プラグの露出した端子に付着し、接触不良等、故障の原因になるおそれがある。さらに、上記品質検査を行う作業者が不慣れであったり、乱暴であったりした場合には、上記給電用コネクタと電源プラグとを接続する際に、上記給電用コネクタと上記電源プラグの先端部分をぶつけて上記露出した端子を変形させてしまうおそれもある。
【０００７】
ところで、品質検査を行う作業者は、電源装置に電源が投入された状態の遊技機の前面に設けられた各種操作手段を操作して当該遊技機の品質検査を行う。しかし、上記特許文献１に記載された従来の遊技機では、遊技機本体の背面に設けられた電源コードホルダの保持固定部に電源プラグが保持固定されている。したがって、上記作業者は、以下に示す手順を踏まなければ、上記品質検査を開始し、終了することができない。
【０００８】
（１）例えば、ターンテーブル上に載置されている遊技機を回転させて遊技機本体の背面を自身の目前に向かせる。
（２）遊技機本体の背面に設けられている電源コードホルダの保持固定部によって保持固定されている電源プラグに、工場内に設置された電源装置から延出された電源コードの給電用コネクタを接続する。
（３）遊技機の電源をオンにする。
（４）上記ターンテーブル上に載置されている遊技機を回転させて遊技機本体の前面を自身の目前に向かせる。
（５）所定の品質検査を行う。
（６）上記ターンテーブル上に載置されている遊技機を回転させて遊技機本体の背面を自身の目前に向かせる。
（７）遊技機の電源をオフにする。
（８）遊技機本体の背面にある電源コードホルダの保持固定部に保持固定された電源プラグから上記電源コードの給電用コネクタを取り外す。
【０００９】
以上説明したように、上記特許文献１に記載された従来の遊技機では、品質検査を行うために多くの手間と時間を要するため、作業性が良好でないという問題があった。また、遊技機本体を回転させるためのターンテーブル等の装置が必要であり、工場設備に経費がかかり、ひいては遊技機の価格が高くなってしまうという問題があった。
【００１０】
本発明は、上述した事情に鑑みてなされたものであり、上述のような問題を解決することを課題の一例とするものであり、これらの課題を解決することができる遊技機を提供することを目的とする。
【課題を解決するための手段】
【００１１】
上記課題を解決するために、請求項１に記載の発明に係る遊技機は、電源装置のコードを介して接続された受電用接続部材が接続される第１の接続部材と、前記第１の接続部材と電気的に接続され外部電源からコードを介して接続された給電用接続部材が接続される第２の接続部材とを有する接続装置を備えた遊技機であって、前記接続装置は、前記第１の接続部材に前記受電用接続部材が接続されていない場合には、前記第２の接続部材は前記給電用接続部材と接続が不可能な状態であり、前記第１の接続部材に前記受電用接続部材が接続された場合には、前記第２の接続部材は前記給電用接続部材と接続が可能な状態となるように構成されていることを特徴としている。
【００１２】
また、請求項２に記載の発明は、請求項１に記載の遊技機に係り、前記接続装置は、前記第１の接続部材の接続部が露出可能な第１の露出部と、前記第２の接続部材の接続部が露出可能な第２の露出部とを有し、前記第１の接続部材に前記受電用接続部材が接続されていない場合には、前記第１の接続部材の前記接続部が前記第１の露出部から露出するとともに、前記第２の接続部材が前記接続装置内に保持され、前記第１の接続部材に前記受電用接続部材が接続された場合には、前記第１の接続部材が前記接続装置内に保持されるとともに、前記第２の接続部材の前記接続部が前記第２の露出部から露出するように構成されていることを特徴としている。
【００１３】
また、請求項３に記載の発明は、請求項２に記載の遊技機に係り、前記第１の露出部と前記第２の露出部とは、前記接続装置の異なる面に形成されていることを特徴としている。
【００１４】
また、請求項４に記載の発明は、請求項２に記載の遊技機に係り、前記第１の露出部と前記第２の露出部とは、前記接続装置の同一面に形成されていることを特徴としている。
【００１５】
また、請求項５に記載の発明は、請求項４に記載の遊技機に係り、前記第１の接続部材は、前記接続装置内から前記第１の露出部まで移動可能に構成され、前記第２の接続部材は、前記接続装置内から前記第２の露出部まで移動可能に構成され、前記接続装置は、回転軸に軸支されるとともに、一端に前記第１の接続部材が取り付けられ、他端に前記第２の接続部材が取り付けられた揺動部材と、前記揺動部材に取り付けられ、前記第１の接続部材に前記受電用接続部材が接続されていない場合には、前記第１の接続部材の前記接続部を前記揺動部材を介して前記第１の露出部に露出させるとともに、前記第２の接続部材を前記揺動部材を介して前記接続装置内に保持する付勢部材とを備え、前記第１の接続部材に前記受電用接続部材が接続された場合には、前記揺動部材の揺動により前記第２の接続部材の前記接続部を前記第２の露出部に露出させることを特徴としている。
【００１６】
また、請求項６に記載の発明は、請求項２乃至５のいずれかに記載の遊技機に係り、前記接続装置は、前記第１の接続部材に前記受電用接続部材が接続されていない場合に前記第２の露出部の少なくとも一部を閉鎖するシャッターを備え、前記第１の接続部材に前記受電用接続部材が接続されることにより前記シャッターが開放され、前記第２の接続部材の前記接続部が前記第２の露出部から露出するように構成されていることを特徴としている。
【発明の効果】
【００１７】
本発明によれば、受電用接続部材を第１の接続部材に接続させた場合、外部電源からの電力を第２の接続部材を介して当該遊技機に供給することが可能となる。したがって、受電用接続部材は、当該遊技機の外部に露出することはない。この結果、外気等の影響により酸化するなど、当該受電用接続部材の品質の劣化を防ぐことができる。また、給電用接続部材と受電用接続部材を直接接続することにより生じる、給電用接続部材の汚れの付着など、当該受電用接続部材の品質の劣化を防ぐことができる。さらに、受電用接続部材がフリー状態となり、製造過程における各種検査作業や出荷過程における梱包作業時において引っ掛かるなどする虞がなくなるため、製造過程における各種検査作業やホールに出荷する過程における各種作業の利便性を向上させることができる。
【００１８】
また、本発明によれば、遊技機本体を回転させなくても第１の接続部材に給電用接続部材を抜き差しすることができ、作業性が向上する。さらに、遊技機本体を回転させるためのターンテーブル等の装置が不要であるため、その分工場設備の経費を削減でき、ひいては遊技機の価格を低下させることができる。
【発明を実施するための最良の形態】
【００１９】
実施の形態１．
図１は本発明の実施の形態１に係る遊技機の１つであるパチンコ遊技機１の皿ユニット１４を開放した状態における外観構成を示す正面図、図２は図１に示すパチンコ遊技機１の外観構成を示す背面図である。本実施の形態１に係るパチンコ遊技機１は、外枠１１と、前枠１２とを有している。
【００２０】
外枠１１は、パチンコ遊技機１をホールの島等の設置すべき位置に固定するために、所定の外郭方形枠サイズに構成された枠体である。前枠１２は、外枠１１の開口部に整合する枠体であり、外枠１１に開閉（片持ち横開き）可能に取り付けられている。前枠１２は、図１において、正面右端略中央内に配設された施錠装置１５により外枠１１に対して閉鎖状態に保持される。
【００２１】
また、前枠１２の正面側には、ガラス扉１３と、皿ユニット１４とが上下に配置されている。ガラス扉１３及び皿ユニット１４は、それぞれ前枠１２に開閉（片持ち横開き）可能及び着脱可能に取り付けられている。ガラス扉１３及び皿ユニット１４は、施錠装置１５及び図示しないロック機構により前枠１２の前面を覆う閉止状態で保持される。ガラス扉１３には、ガラス等からなる透明板（図示略）が取り付けられている。
【００２２】
前枠１２のガラス扉１３に対応した箇所には、遊技盤１６が前側から着脱自在に装着されている。遊技盤１６の略中央には、センター飾り２１が配置されている。このセンター飾り２１の略中央には、演出のための図柄を表示する図柄表示装置２２が配置されている。図柄表示装置２２は、例えば、液晶ディスプレイやプラズマディスプレイパネル等のディスプレイを有している。
【００２３】
図柄表示装置２２の略中央下方には、上方に開口する始動チャッカー（始動入賞口、抽選入賞口）２３が配置されている。始動チャッカー２３の左右には、スルーチャッカー２４，２４及び二連入賞口２５，２５がそれぞれ配置されている。始動チャッカー２３の下方には、アタッカー（大入賞口）２６が配置されている。
【００２４】
このパチンコ機１は、発射ハンドル３３の操作に基づく球発射装置３２（いずれも後述）の作動により遊技球（いわゆるパチンコ玉）を遊技盤１６の遊技領域に打ち出しつつ遊技を行うものである。例えば、上記始動チャッカー２３に入球（入賞）することにより、当り抽選（アタッカー２６の開閉に関する抽選）が行われるとともに、図柄表示装置２２への表示が開始される。そして、この抽選の結果が当選状態、いわゆる大当たりが発生した状態において、上記アタッカー２６に入賞した遊技球に対応する数の遊技球が払い出される。
【００２５】
上記した大当たりには、抽選の結果に基づいて選択される「通常大当たり」や「確率変動大当たり」などがある。「確率変動大当たり」の場合、上記始動チャッカー２３に入賞した際の抽選における大当たりの確率が高くなるとともに、次に大当たりに当選するまでの間、遊技者に有利な付加価値を付与し得る特殊状態となる。これに対し、「通常大当たり」は、上記確率変動大当たり（いわゆる確変）に当選しなかった当たりをいう。
【００２６】
また、前枠１２における所定位置には、図示せぬ演出用照明装置が設けられている。さらに、前枠１２における上部には、スピーカ（図示略）を有する放音装置１７が配置されている。一方、前枠１２における下部には、スピーカ３１を有する放音装置（図示略）が配置されている。また、図１において、スピーカ３１の左側近傍には、球発射装置３２が配置されている。
【００２７】
皿ユニット１４は、一般的なパチンコ遊技機におけるいわゆる上皿と下皿とを一体にした形状にされており、遊技球が供給される。このパチンコ遊技機１の正面において、皿ユニット１４の右側下方（図１では、左下側）には、発射ハンドル３３が設けられている。発射ハンドル３３は、球発射装置３２を作動させて遊技球を遊技盤１６に向けて打ち出すためのものである。
【００２８】
さらに、外枠１１の図１において左下隅近傍には、本発明の特徴である接続装置１８が設けられている。接続装置１８は、このパチンコ遊技機１の組み立てが終了した際に、背面側に後述する電源ユニット（電源装置）４７に電源コード５１を介して接続された電源プラグ（受電用接続部材）５２が嵌合されるとともに、前面側に工場内に設置された電源装置（外部電源）から延出された図示せぬ電源コードの給電用コネクタ（給電用接続部材）が嵌合されるものである。なお、接続装置１８の構造の詳細については、後述する。
【００２９】
次に、パチンコ遊技機１の背面側の外観構成について、図２を参照して説明する。パチンコ遊技機１の前枠１２背面における上端やや左寄りには、賞球タンク４１が取り付けられている。この賞球タンク４１の下方には、サブ制御基板４２、主制御基板４３及び払出し制御基板４４が順に配置されている。また、前枠１２背面における上右端近傍には、外部端子板４５が取り付けられている。この外部端子板４５の下方には、賞球装置４６、電源ユニット（電源装置）４７及び発射制御基板４８が順に配置されている。電源ユニット４７には、電源コード（コード）５１を介して受電用コネクタ（受電用接続部材、電源プラグ）５２が接続されている。発射制御基板４８は、球発射装置３２の発射動作を制御する。
【００３０】
次に、接続装置１８の構成について、図３及び図４を参照して説明する。図３は接続装置１８の構成を表す断面図、図４は電源プラグ５２が挿入された状態における接続装置１８の構成を表す断面図である。接続装置１８は、後端部６１ａにコンセント部（第１の接続部材）６２が形成され、前端部６１ｂに電源プラグ部（第２の接続部材）６３が形成された複合部材６１が、例えば、合成樹脂等からなり、略角筒形状を呈する筐体６４に収容されて構成されている。この接続装置１８は、電源プラグ（受電用接続部材）５２の一対の端子５２ａがコンセント部６２の一対の刃受（接続部）６２ａに嵌合されることにより、電源プラグ部６３の一対の端子（接続部）６３ａが接続装置１８の前面開口１８ｂａから突出するように構成されている。接続装置１８の前面（第２の露出部）１８ｂは、図１に示すように、外枠１１の左下隅近傍からパチンコ遊技機１の正面に臨んでいる。
【００３１】
コンセント部６２の一対の刃受６２ａと電源プラグ部６３の一対の端子６３ａとは、対応するもの同士がそれぞれ図示せぬ導電性を有する一対の金属片を介して電気的に接続されている。また、複合部材６１の後端部６１ａ上部及び下部には、それぞれ略四角錐形状を呈する凹部６１ａａ及び６１ａｂが穿設されている。一方、複合部材６１の前端部６１ｂ上部及び下部にも、それぞれ略四角錐形状を呈する凹部６１ｂａ及び６１ｂｂが穿設されている。
【００３２】
筐体６４の後端６４ａ近傍内面上部及び内面下部には、係止突起部６５が出没可能に設けられている。すなわち、各係止突起部６５は、図示せぬバネ等の弾性部材により付勢され、筐体６４の内面上部及び内面下部からそれぞれ突出している。係止突起部６５は、図３に示すように、コンセント部６２の背面６２ｂが筐体６４の後端６４ａ、言い換えれば、接続装置１８の背面（第１の露出部）１８ａに到達した際に、複合部材６１の後端部６１ａ上部及び下部に穿設された対応する凹部６１ａａ及び６１ａｂに進入して複合部材６１を係止する位置に形成されている。
【００３３】
同様に、筐体６４の前端６４ｂ近傍内面上部及び内面下部には、係止突起部６６が出没可能に設けられている。すなわち、各係止突起部６６は、図示せぬバネ等の弾性部材により付勢され、筐体６４の内面上部及び内面下部からそれぞれ突出している。係止突起部６６は、図４に示すように、電源プラグ部６３の一対の端子６３ａのみが接続装置１８の前面開口１８ｂａから突出した際に、複合部材６１の上部及び下部に穿設された対応する凹部６１ｂａ及び６１ａｂに進入して複合部材６１を係止する位置に形成されている。
【００３４】
以上説明した構成を有することにより、接続装置１８は、コンセント部６２の一対の刃受６２ａに電源プラグ５２の一対の端子５２ａが挿入されていない状態では、複合部材６１は図３に示す位置に係止されている。したがって、コンセント部６２は、接続装置１８の背面１８ａの背面開口１８ａａから外部に臨むことになる。一方、電源プラグ部６３は、接続装置１８内に収容されることになる。
【００３５】
このような状態において、作業者が電源プラグ５２を構成する一対の端子５２ａをコンセント部６２を構成する一対の刃受６２ａに挿入しようとすると、複合部材６１が係止突起部６５により係止されているので、一対の端子５２ａは、コンセント部６２を構成する一対の刃受６２ａの根元に向かって進入していく。作業者が電源プラグ５２をさらに押し込むと、複合部材６１は、係止状態が解除され、筐体６４内を前端６４ｂに向かって摺動し始める。
【００３６】
そして、電源プラグ５２を構成する一対の端子５２ａがコンセント部６２の一対の刃受け６２ａに根元まで挿入されると、図４に示すように、電源プラグ部６３を構成する一対の端子６３ａが接続装置１８の前面開口１８ｂａから突出する。これと同時に、各係止突起部６６は、複合部材６１の上部及び下部に穿設された対応する凹部６１ｂａ及び６１ｂｂに進入して複合部材６１を係止する。
【００３７】
このような作業は、組立作業において、パチンコ遊技機１の背面の所定の位置に電源ユニット４７を取り付けるとともに行う。これにより、この作業の後は、電源コード５１が纏まっているため、作業者が引っ掛けることが少ない。作業者は、組み上がったパチンコ遊技機１を電源オン状態とした後、品質検査を行う作業者に当該パチンコ遊技機１を引き渡す。
【００３８】
品質検査を行う作業者は、以下に示す手順を踏むことにより、上記品質検査を行う。
（１）パチンコ遊技機１の前面から突出している電源プラグ部６３に、工場内に設置された電源装置から延出された電源コードの給電用コネクタを接続する。
（２）所定の品質検査を行う。
（３）パチンコ遊技機１の前面から突出している電源プラグ部６３から上記電源コードの給電用コネクタを取り外す。
【００３９】
上記品質検査を行った結果、当該パチンコ遊技機１が良品と判定されると、梱包される。この梱包作業中でも電源コード５１が纏まっているため、電源コード５１や電源プラグ５２が梱包用の箱に引っ掛かるなど、梱包作業の妨げになることはない。そして、梱包されたパチンコ遊技機１を遊技店（ホール）の島等に設置する際には、作業者は、電源プラグ５２を接続装置１８を構成するコンセント部６２から引き抜いた後、その電源プラグ５２を島側の給電用コネクタ（コンセントなど）に挿入する。これにより、この給電用コネクタから電源プラグ５２を介して当該パチンコ遊技機１を構成する電源ユニット４７に電源が供給される。
【００４０】
なお、接続装置１８は、パチンコ遊技機１が遊技店（ホール）の島等に設置された後は、パチンコ遊技機１を構成する主制御基板４３等のいかなる電子回路と電気的に接続することがない。また、接続装置１８が設けられている箇所から針金等をパチンコ遊技機１の背面側に挿入することはできないように構成されている。つまり、接続装置１８が設けられている箇所には、不正行為（いわゆるゴト行為）を防止する手段が施されている。しかし、念のため、接続装置１８の前面開口１８ｂａをシャッター等の遮蔽機構により遮蔽したり、前面開口１８ｂａからパテ等を詰め込んだ後、封印シールを貼付したりしても良い。
【００４１】
このように、本発明の実施の形態１によれば、電源プラグ５２の一対の端子５２ａは、組立作業中も品質検査中も常に接続装置１８を構成するコンセント部６２の刃受６２ａに挿入されている。したがって、電源プラグ５２の一対の端子５２ａは、パチンコ遊技機１の外部に露出することはない。この結果、電源プラグ５２の一対の端子５２ａは、外気等の影響により酸化するなど、品質が劣化して接触不良等、故障の原因になるおそれがない。
【００４２】
上記した品質検査において、工場内に設置された電源装置から延出された電源コードの給電用コネクタがたとえ汚れている場合であっても、その汚れは上記電源プラグ５２の露出した端子５２ａに付着し、接触不良等、故障の原因になるおそれはない。さらに、上記品質検査を行う作業者が不慣れであったり、乱暴であったりした場合であっても、上記給電用コネクタは、接続装置１８から露出した電源プラグ部６３の一対の端子６３ａと接続されるので、上記電源プラグ５２の端子５２ａを変形させてしまうおそれはない。
【００４３】
また、本発明の実施の形態１によれば、パチンコ遊技機１を回転させなくても、接続装置１８を構成する電源プラグ部６３に、工場内に設置された電源装置から延出された電源コードの給電用コネクタを抜き差しすることができ、作業性が向上する。さらに、工場内にパチンコ遊技機１を回転させるためのターンテーブル等の装置を設置する必要がないため、その分工場設備の経費を削減でき、ひいてはパチンコ遊技機１の価格を低下させることができる。
【００４４】
実施の形態２．
図５は本発明の実施の形態２に係る遊技機の１つであるスロットマシン７１の外観構成を示す斜視図、図６は図５に示すスロットマシン７１の前扉７３を開放した状態における構成を示す正面図である。本実施の形態２に係るスロットマシン７１は、全体形状が略矩形状を呈している筐体７２と、この筐体７２の開口部を覆うようにして蝶番機構７４（図６参照）により開閉可能に取り付けられた前扉７３とを備えている。
【００４５】
図５に示すように、前扉７３の前面中央からやや下端寄りには、遊技者側に突出して、操作卓７３ａが前扉７３と一体的に形成されている。前扉７３は、例えば、硬質プラスチック等から構成されている。操作卓７３ａの図中右端近傍には、メダル投入部１０１が形成されている。
【００４６】
一方、操作卓７３ａの左端近傍に所定距離離れてそれぞれ穿設された２つの貫通孔（図示略）には、１ベットボタン１０２及びマックスベットボタン１０３がそれぞれ嵌合されている。１ベットボタン１０２及びマックスベットボタン１０３は、スロットマシン７１の１ゲームに賭けるメダルの枚数を指示するためのものである。つまり、遊技者が１ベットボタン１０２を押圧操作することにより、内部的に貯留されているメダルから１枚のメダルが当該ゲームに対して賭けられる。同様に、遊技者がマックスベットボタン１０３を押圧操作することにより、内部的に貯留されているメダルから最大枚数（通常、３枚）のメダルが当該ゲームに対して賭けられる。
【００４７】
また、操作卓７３ａの左端近傍に穿設された貫通孔（図示略）には、精算ボタン１０４が嵌合されている。精算ボタン１０４は、ゲームに使用するためにメダル投入部１０１から投入されたメダルをキャンセルして排出させることを指示するとともに、後述するメイン制御基板８７（図６参照）が内部的に貯留しているメダルを清算して排出させることを指示するためのものである。さらに、操作卓７３ａにおいて、上記精算ボタン１０４の図中右隣には、スタートレバー１０５が固設されている。スタートレバー１０５は、後述する回胴装置８２を構成する３列のリール９１（図６参照）の一斉回転の開始を指示するためのものである。
【００４８】
また、操作卓７３ａの正面略中央には、３個のストップボタン１０６がそれぞれ所定間隔離れて並設されている。各ストップボタン１０６は、後述する回胴装置８２を構成する３列のリール９１（図６参照）の配列にそれぞれ対応しており、対応する上記３列のリール９１のそれぞれの回転停止をそれぞれ指示するためのものである。
【００４９】
一方、操作卓７３ａの図中右端近傍には、前扉７３を開錠するための前扉キー（図示略）が挿入される鍵穴１０７が穿設されている。この鍵穴１０７にスロットマシン７１の管理者等が上記前扉キーを挿入して開錠操作すると、蝶番機構７４（図６参照）によって筐体７２に取り付けられている前扉７３を上記蝶番機構７４を軸として前方へ開くことができる。一方、管理者が前扉７３を筐体７２側に閉じ、前扉７３の上記鍵穴１０７近傍を筐体７２側に押し付ける操作をすると、自動的に施錠される。
【００５０】
操作卓７３ａの上方には、中パネルユニット１１１が取り付けられている。この中パネルユニット１１１の略中央には、筐体７２内の略中央に固設された回胴装置８２（図６参照）に対応して、略矩形状を呈する透明な表示窓１１１ａが形成されている。このため、遊技者は、回胴装置８２を構成する３列のリール９１がそれぞれ停止した状態において、上記表示窓１１１ａから、各リール９１のそれぞれの外周面に描かれた縦３行、横３列の図柄を目視することができる。
【００５１】
中パネルユニット１１１の左右には、サイドランプ１１２ａ及び１１２ｂが取り付けられている。また、中パネルユニット１１１の上方には、上パネル部１１３が設けられている。この上パネル部１１３は、上部ランプ１１３ａ、コーナランプ１１３ｂ及び１１３ｃ、放音部１１３ｄ及び１１３ｅ並びに画像表示部１１３ｆ等から概略構成されている。上部ランプ１１３ａは、前扉１１３の上端略中央に取り付けられている。一方、コーナランプ１１３ｂ及び１１３ｃは、前扉７３の左上角及び右上角にそれぞれ取り付けられている。
【００５２】
サイドランプ１１２ａ及び１１２ｂ、上部ランプ１１３ａ並びにコーナランプ１１３ｂ及び１１３ｃは、それぞれ高輝度の発光ダイオード（ＬＥＤ）等を内蔵している。放音部１１３ｄ及び１１３ｅは、前扉７３の左右それぞれの端部７３ｂ及び７３ｃ近傍であって、中パネルユニット１１１上部に接して取り付けられている。放音部１１３ｄ及び１１３ｅは、それぞれスピーカ１１３ｄａ及び１１３ｅａ（図６参照）を内蔵している。上記した放音部１１３ｄと放音部１１３ｅとの間には、画像表示部１１３ｆが設けられている。画像表示部１１３ｆは、例えば、液晶パネル又はプラズマディスプレイパネル（ＰＤＰ）等のディスプレイを有している。
【００５３】
一方、操作卓７３ａの下方には、下パネル１１４が取り付けられている。下パネル１１４には、スロットマシン７１のモデルタイプ等を遊技者へ認識させるため、例えば登場キャラクターの絵等が描かれている。
【００５４】
さらに、下パネル１１４の下方、すなわち、前扉７３の下端には、受皿ユニット１１５が前扉７３に取り付けられている。受皿ユニット１１５の右下端から左下端近傍にかけて、メダルを貯留するための受皿１１５ａが形成されている。受皿ユニット１１５の背板１１５ｂのうち、上記受皿１１５ａの左右端近傍には、放音部１１５ｃ及び１１５ｄがそれぞれ設けられている。放音部１１５ｃ及び１１５ｄは、それぞれスピーカ１１５ｃａ及び１１５ｄａ（図６参照）を内蔵している。
【００５５】
また、受皿ユニット１１５の背板１１５ｂの中央やや左寄りには、入賞時にメダルが排出されたり、後述するメダルセレクタ１２０（図６参照）により不適であるとして排除され落下したメダル等が排出されたりするメダル払出口１１５ｅが穿設されている。メダル払出口１１５ｅは、略矩形状を呈している。受皿ユニット１１５の左端近傍には、遊技者の喫煙に供するための灰皿１１６が設けられている。
【００５６】
次に、筐体７２の内部構成について、図６を参照して説明する。筐体７２内の中央からやや下端寄りにおいて、側板７２ａと側板７２ｂとの間に架設された棚板８１の上面には、回胴装置８２が固設されている。この回胴装置８２は、３列のリール９１を備えている。各リール９１は、いずれも略円筒状を呈しており、それぞれが回転自在に、かつ、各回転軸が略同一直線上に位置するように並設されている。各リール９１の各外周面には、複数種類の図柄が入賞役に応じて１個又は数個ずつ略等間隔に描かれている。
【００５７】
回胴装置８２の下方であって、筐体７２の底板７２ｃの上面略中央には、ホッパ装置８３が固設されている。ホッパ装置８３は、前扉７３の操作卓７３ａに穿設されたメダル投入部１０１（図５参照）から投入されたメダル（図示略）を貯留するとともに、入賞配当等の際にメダルを排出する。
【００５８】
このホッパ装置８３の図中右隣の底板７２ｃ上面には、オーバーフロータンク８４が固設されている。オーバーフロータンク８４には、ホッパ装置８３から溢れたメダルが収容される。一方、ホッパ装置８３の図中左隣の底板７２ｃ上面には、電源装置８５が固設されている。電源装置８５には、電源コード（コード）８８を介して受電用コネクタ（受電用接続部材、電源プラグ）８９（図７及び図８参照）が接続されている。この電源コード８８は、筐体７２の背板７２ｄに穿設された貫通孔（図示略）から外部に引き出されている。
【００５９】
さらに、オーバーフロータンク８４の上方であって、棚板８１直下の背板７２ｄ及び側板７２ｂには、本発明の特徴である接続装置８６が設けられている。接続装置８６は、このスロットマシン７１の組み立てが終了した際に、背面側に上記電源装置８５に電源コード８８を介して接続された電源プラグ（受電用接続部材）８９（図７及び図８参照）が嵌合されるとともに、前面側に工場内に設置された電源装置（外部電源）から延出された電源コードの給電用コネクタ（給電用接続部材）（いずれも図示略）が嵌合されるものである。なお、接続装置８６の構造の詳細については、後述する。
【００６０】
また、回胴装置８２の上方であって、筐体７２の背板７２ｄには、メイン制御基板８７が固設されている。メイン制御基板８７は、スロットマシン７１全体を集中制御する。メイン制御基板８７は、中央処理装置（ＣＰＵ）、ＲＯＭ、ＲＡＭ、インターフェイス（Ｉ／Ｆ）回路等（いずれも図示略）を有するマイコンを中心として構成されている。
【００６１】
次に、前扉７３の背面側の構成について、図６を参照して説明する。前扉７３の背面の上端近傍、すなわち、図５に示す画像表示部１１３ｆの背面側には、サブ制御基板１１７が固設されている。サブ制御基板１１７は、主として、ゲームの演出に関して、前扉７３に取り付けられている各部を制御する。サブ制御基板１１７は、ＣＰＵ、ＲＯＭ、ＲＡＭ、インターフェイス（Ｉ／Ｆ）回路等（いずれも図示略）を有するマイコンを中心として構成されている。
【００６２】
サブ制御基板１１７の両端近傍には、上記した放音部１１３ｄ及び１１３ｅをそれぞれ構成するスピーカ１１３ｄａ及び１１３ｅａがそれぞれ取り付けられている。サブ制御基板１１７の下方であって、表示窓１１１ａの上方には、中パネルユニット１１１を構成するリール照明部１１８が取り付けられている。リール照明部１１８は、例えば、冷陰極蛍光管等を有し、各リール９１の各外周面を照明する。
【００６３】
一方、表示窓１１１ａの下方には、中パネルユニット１１１を構成する中央表示基板１１９が取り付けられている。中央表示基板１１９の図中左下端近傍、すなわち、図５に示すメダル投入部１０１の背面側には、メダルセレクタ１２０が取り付けられている。メダルセレクタ１２０は、上記メダル投入部１０１から投入されたメダルの適否を判別し振り分ける装置である。メダルセレクタ１２０は、投入されたメダルが適正であると判定した場合、上記中央表示基板１１９を介してメイン制御基板８７へメダル受付信号を供給する。メイン制御基板８７は、メダル受付信号を受信するごとにクレジットを加算して内部的にメダルを貯留する。
【００６４】
メダルセレクタ１２０の図中右隣には、メダルガイド部１２１が設けられている。このメダルガイド部１２１は、上記メダルセレクタ１２０によって選別され検出された適正なメダルを筐体７２に固設されているホッパ装置８３へ案内する。また、メダルセレクタ１２０の下方には、フローシュート１２２が設けられている。このフローシュート１２２は、上記メダルセレクタ１２０により不適であるとして排除され落下したメダル又は異物を、前扉７３の受皿ユニット１１５の背板１１５ｂに穿設されているメダル払出口１１５ｅへ案内する。さらに、このフローシュート１２２と一体的にメダル払出通路１２３が設けられている。メダル払出通路１２３は、前扉７３が施錠された状態において、筐体７２に固設されているホッパ装置８３のメダル排出口８３ａ（図６参照）に当接し、ホッパ装置８３から排出されたメダルを、上記メダル払出口１１５ｅへ案内する。メダル払出通路１２３の図中右隣には、上記した放音部１１５ｃを構成するスピーカ１１５ｃａが取り付けられている。一方、前扉７３の背面の図中左下端近傍には、上記した放音部１１５ｄを構成するスピーカ１１５ｄａが取り付けられている。
【００６５】
次に、接続装置８６の構成について、図７及び図８を参照して説明する。図７は筐体７２に取り付けられた接続装置８６の構成を表す平面図、図８は電源装置８５に電源コード８８を介して接続された電源プラグ８９が挿入された状態における接続装置８６の構成を表す平面図である。接続装置８６は、後端部（第１の露出部）８６ａが筐体７２の背板７２ｄに取り付けられるとともに、側端部（第２の露出部）８６ｂが筐体７２の側板７２ｂに取り付けられている。この接続装置８６は、電源プラグ（受電用接続部材）８９の一対の端子８９ａがコンセント（第１の接続部材）１３１の一対の刃受（接続部）１３１ａに挿入されることにより、電源プラグ（第２の接続部材）１３２の一対の端子（接続部）１３２ａが接続装置８６の側端部開口（第２の露出部）８６ｂａから突出するように構成されている。コンセント１３１及び電源プラグ１３２等の各種部品は、例えば、合成樹脂等からなり、略屈曲円筒状に形成された筐体１３３に収容されている。
【００６６】
コンセント１３１と電源プラグ１３２とは、らせん体１３４により機構的に接続されている。らせん体１３４は、例えば、金属材料等からなる扁平な素材が隙間を空けることなく密にらせん状に巻回されて構成されている。ただし、らせん体１３４は、バネ等の弾性部材とは異なり、圧縮力を受けてもほとんど収縮せず、コンセント１３１又は電源プラグ１３２の一方に加えられた力を筐体１３３に沿って他方に伝達する機能を有している。コンセント１３１の一対の刃受１３１ａと電源プラグ１３２の一対の端子１３２ａとは、対応するもの同士がそれぞれ電源コード１３５により電気的に接続されている。電源コード１３５は、らせん体１３４の内部に挿通されている。
【００６７】
コンセント１３１の両側面１３１ｂには、対称となる位置に、係止突起部１３６がそれぞれ出没可能に設けられている。すなわち、各係止突起部１３６は、略円錐形状を呈しており、図示せぬバネ等の弾性部材により両側面１３１ｂから外側に向かって付勢され、コンセント１３１の両側面１３１ｂからそれぞれ出没可能に構成されている。一方、接続装置８６の後端部８６ａ近傍の筐体１３３の両内側面には、断面略Ｖ字状を呈する溝１３３ａが形成されている。溝１３３ａの両端には、コンセント１３１の各係止突起部１３６がそれぞれ進入してコンセント１３１を係止するための有底穴１３３ｂ１及び１３３ｂ２がそれぞれ穿設されている。
【００６８】
電源プラグ１３２の両側面１３２ｂには、対称となる位置に、係止突起部１３７がそれぞれ出没可能に設けられている。すなわち、各係止突起部１３７は、略円錐形状を呈しており、図示せぬバネ等の弾性部材により両側面１３２ｂから外側に向かって付勢され、電源プラグ１３２の両側面１３２ｂからそれぞれ出没可能に構成されている。一方、接続装置８６の側端部８６ｂ近傍の筐体１３３の両内側面には、断面略Ｖ字状を呈する溝１３３ｃが形成されている。溝１３３ｃの両端には、電源プラグ１３２の各係止突起部１３７がそれぞれ進入して電源プラグ１３２を係止するための有底穴１３３ｄ１及び１３３ｄ２がそれぞれ穿設されている。
【００６９】
以上説明した構成を有することにより、接続装置８６は、コンセント１３１の一対の刃受１３１ａに電源プラグ８９の一対の端子８９ａが挿入されていない状態では、コンセント１３１及び電源プラグ１３２は図７に示す位置に係止されている。したがって、コンセント１３１は、接続装置８６の後端部開口（第１の露出部）８６ａａから外部に臨むことになる。一方、電源プラグ１３２は、接続装置８６内に収容されることになる。
【００７０】
このような状態において、作業者が電源プラグ８９を構成する一対の端子８９ａをコンセント１３１を構成する一対の刃受１３１ａに挿入しようとすると、コンセント１３１が係止突起部１３６により係止されているので、一対の端子８９ａは、コンセント１３１を構成する一対の刃受１３１ａの根元に向かって進入していく。作業者が電源プラグ８９をさらに押し込むと、コンセント１３１は、係止状態が解除され、筐体１３３内を溝１３３ａに沿って摺動し始める。このとき、コンセント１３１に加えられた力は、らせん体１３４を介して電源プラグ１３２に伝達される。
【００７１】
そして、電源プラグ８９を構成する一対の端子８９ａがコンセント１３１の一対の刃受け１３１ａに根元まで挿入されると、図８に示すように、電源プラグ１３２を構成する一対の端子１３２ａが接続装置８６の側端部開口８６ｂａから突出する。これと同時に、コンセント１３１の各係止突起部１３６は、筐体１３３の内側面に穿設された対応する有底穴１３３ｂ２にそれぞれ進入してコンセント１３１が係止される。また、電源プラグ１３２の各係止突起部１３７は、筐体１３３の内側面に穿設された対応する有底穴１３３ｄ２にそれぞれ進入して電源プラグ１３２が係止される。
【００７２】
このような作業は、組立作業において、スロットマシン７１を構成する筐体７２の所定の位置に電源装置８５を取り付けるとともに行う。これにより、この作業の後は、電源コード８８が纏まっているため、作業者が引っ掛けることが少ない。作業者は、組み上がったスロットマシン７１を電源オン状態とした後、品質検査を行う作業者に当該スロットマシン７１を引き渡す。
【００７３】
品質検査を行う作業者は、以下に示す手順を踏むことにより、上記品質検査を行う。
（１）スロットマシン７１の右側面から突出している電源プラグ１３２に、工場内に設置された電源装置から延出された電源コードの給電用コネクタを接続する。
（２）所定の品質検査を行う。
（３）スロットマシン７１の側面から突出している電源プラグ１３２から上記電源コードの給電用コネクタを取り外す。
【００７４】
上記品質検査を行った結果、当該スロットマシン７１が良品と判定されると、梱包される。この梱包作業中でも電源コード８８が纏まっているため、電源コード８８や電源プラグ８９が梱包用の箱に引っ掛かるなど、梱包作業の妨げになることはない。そして、梱包されたスロットマシン７１を遊技店（ホール）の島等に設置する際には、作業者は、電源プラグ８９を接続装置８６を構成するコンセント１３１から引き抜いた後、その電源プラグ８９を島側の給電用コネクタ（コンセントなど）に挿入する。これにより、この給電用コネクタから電源プラグ８９を介して当該スロットマシン７１を構成する電源装置８５に電源が供給される。
【００７５】
このように、本発明の実施の形態２によれば、電源プラグ８９の一対の端子８９ａは、組立作業中も品質検査中も常に接続装置８６を構成するコンセント１３１の刃受１３１ａに挿入されている。したがって、電源プラグ８９の一対の端子８９ａは、スロットマシン７１の外部に露出することはない。この結果、電源プラグ８９の一対の端子８９ａは、外気等の影響により酸化するなど、品質が劣化して接触不良等、故障の原因になるおそれがない。
【００７６】
上記した品質検査において、工場内に設置された電源装置から延出された電源コードの給電用コネクタがたとえ汚れている場合であっても、その汚れは上記電源プラグ８９の露出した端子８９ａに付着し、接触不良等、故障の原因になるおそれはない。さらに、上記品質検査を行う作業者が不慣れであったり、乱暴であったりした場合であっても、上記給電用コネクタは、接続装置８６から露出した電源プラグ１３２の一対の端子１３２ａと接続されるので、上記電源プラグ８９の端子８９ａを変形させてしまうおそれはない。
【００７７】
また、本発明の実施の形態２によれば、スロットマシン７１を回転させなくても、接続装置８６を構成する電源プラグ１３２に、工場内に設置された電源装置から延出された電源コードの給電用コネクタを抜き差しすることができ、作業性が向上する。さらに、工場内にスロットマシン７１を回転させるためのターンテーブル等の装置を設置する必要がないため、その分工場設備の経費を削減でき、ひいてはスロットマシン７１の価格を低下させることができる。
【００７８】
実施の形態３．
図９は本発明の実施の形態３に係るスロットマシンを構成する接続装置１４１の構成を表す概略図であり、（ａ）は断面図、（ｂ）は（ａ）のＡ−Ａ断面図である。また、図１０は、電源プラグ（受電用接続部材）８９が挿入された状態における接続装置１４１の構成を表す断面図である。この接続装置１４１は、図５及び図６に示す接続装置８６に換えて、例えば、スロットマシンの側板に取り付けられる。すなわち、接続装置１４１は、図５に示すスロットマシン７１を例にとると、筐体７２を構成する側板７２ｂの接続装置８６が取り付けられている箇所と略同一箇所に取り付ければ良い。この接続装置１４１以外のスロットマシンの構成は上記した実施の形態２に係るスロットマシン７１の構成と同様であるので、その説明を省略する。
【００７９】
接続装置１４１は、電源プラグ（受電用接続部材）８９がコンセント（第１の接続部材）１４２に挿入されることにより、電源プラグ（第２の接続部材）１４３の一対の端子（接続部）１４３ａが接続装置１４１前面から突出するように構成されている。コンセント１４２及び電源プラグ１４３等の各種部品は、例えば、合成樹脂等からなり、直方体形状に形成された筐体１４４に収容されている。
【００８０】
コンセント１４２と電源プラグ１４３とは、電源コード（コード）１４５を介して電気的に接続されている。コンセント１４２の背部下部には、突起部１４２ａがコンセント１４２の本体と一体に形成されている。この突起部１４２ａには、ピン１４２ｂが突設されている。このピン１４２ｂは、揺動部材１４６の一端１４６ａに穿設された貫通孔１４６ａａに遊嵌されている。一方、電源プラグ１４３の背部上部には、突起部１４３ｂが電源プラグ１４３の本体と一体に形成されている。この突起部１４３ｂには、ピン１４３ｃが突設されている。このピン１４３ｃは、揺動部材１４６の他端１４６ｂに穿設された貫通孔１４６ｂａに遊嵌されている。
【００８１】
また、コンセント１４２は、筐体１４４の両側板１４４ａ及び１４４ｂに前板１４４ｃに形成された開口１４４ｃａから背板１４４ｄに向かう方向（図９（ａ）中左右方向）に固着された略角柱状を呈する４本のレール１４７の間に摺動可能に嵌挿されている。同様に、電源プラグ１４３は、筐体１４４の両側板１４４ａ及び１４４ｂに前板１４４ｃに形成された開口１４４ｃｂから背板１４４ｄに向かう方向（図９（ａ）中左右方向）に固着された略角柱状を呈する４本のレール１４８の間に摺動可能に嵌挿されている。揺動部材１４６は、回転軸１４９に回転可能に軸支されている。さらに、揺動部材１４６の他端１４６ｂに穿設された貫通孔１４６ｂｂと、背板１４４ｄに突設された突起部１４４ｄａに穿設された貫通孔１４４ｄａａとの間には、バネ等からなる弾性部材（付勢部材）１５０が架設されている。
【００８２】
以上説明した構成を有することにより、接続装置１４１は、コンセント１４２に電源プラグ８９が挿入されていない状態では、揺動部材１４６の他端１４６ｂが弾性部材１５０の付勢力により背板１４４ｄ側に付勢されている。したがって、コンセント１４２は、接続装置１４１の前板１４４ｃの開口（第１の露出部）１４４ｃａから外部に臨むことになる。一方、電源プラグ１４３は、接続装置１４１内に収容されることになる。
【００８３】
このような状態において、作業者が電源プラグ８９を構成する一対の端子８９ａをコンセント１４２を構成する一対の刃受１４２ｃに挿入しようとすると、コンセント１４２がレール１４７を背板１４４ｄ側に摺動する。これにより、揺動部材１４６は、一端１４６ａがコンセント１４２に押圧されることにより、弾性部材１５０の付勢力に抗して回転軸１４９に軸支されつつ揺動する。したがって、電源プラグ１４３がレール１４８を前板１４４ｃ側に摺動する。
【００８４】
そして、電源プラグ８９を構成する一対の端子８９ａがコンセント１４２の一対の刃受１４２ｃに根元まで挿入されると、電源プラグ１４３を構成する一対の端子１４３ａが開口（第２の露出部）１４４ｃｂから突出する。
【００８５】
このような作業は、組立作業において、スロットマシンを構成する筐体７２の所定の位置に電源装置８５を取り付けるとともに行う。これにより、この作業の後は、電源コード８８が纏まっているため、作業者が引っ掛けることが少ない。作業者は、組み上がったスロットマシンを電源オン状態とした後、品質検査を行う作業者に当該スロットマシンを引き渡す。
【００８６】
品質検査を行う作業者は、以下に示す手順を踏むことにより、上記品質検査を行う。
（１）スロットマシンの右側板７２ｂから突出している電源プラグ１４３に、工場内に設置された電源装置（外部電源）から延出された電源コード（コード）の給電用コネクタ（給電用接続部材）を接続する。
（２）所定の品質検査を行う。
（３）スロットマシンの右側板７２ｂから突出している電源プラグ１４３から上記電源コードの給電用コネクタを取り外す。
【００８７】
上記品質検査を行った結果、当該スロットマシンが良品と判定されると、梱包される。この梱包作業中でも電源コード８８が纏まっているため、電源コード８８や電源プラグ８９が梱包用の箱に引っ掛かるなど、梱包作業の妨げになることはない。そして、梱包されたスロットマシンを遊技店（ホール）の島等に設置する際には、作業者は、電源プラグ８９を接続装置１４１を構成するコンセント１４２から引き抜いた後、その電源プラグ８９を島側の給電用コネクタ（コンセントなど）に挿入する。これにより、この給電用コネクタから電源プラグ１４３を介して当該スロットマシンを構成する電源装置８５に電源が供給される。
【００８８】
このように、本発明の実施の形態３によれば、電源プラグ８９の一対の端子８９ａは、組立作業中も品質検査中も常に接続装置１４１を構成するコンセント１４２の刃受１４２ｃに挿入されている。したがって、電源プラグ８９の一対の端子８９ａは、スロットマシンの外部に露出することはない。この結果、電源プラグ８９の一対の端子８９ａは、外気等の影響により酸化するなど、品質が劣化して接触不良等、故障の原因になるおそれがない。
【００８９】
上記した品質検査において、工場内に設置された電源装置から延出された電源コードの給電用コネクタがたとえ汚れている場合であっても、その汚れは上記電源プラグ８９の露出した端子８９ａに付着し、接触不良等、故障の原因になるおそれはない。さらに、上記品質検査を行う作業者が不慣れであったり、乱暴であったりした場合であっても、上記給電用コネクタは、接続装置１４１から露出した別の電源プラグ１４３と接続されるので、上記電源プラグ８９の端子８９ａを変形させてしまうおそれはない。
【００９０】
また、本発明の実施の形態３によれば、スロットマシンを回転させなくても、接続装置１４１を構成する電源プラグ１４３に、工場内に設置された電源装置から延出された電源コードの給電用コネクタを抜き差しすることができ、作業性が向上する。さらに、工場内にスロットマシンを回転させるためのターンテーブル等の装置を設置する必要がないため、その分工場設備の経費を削減でき、ひいてはスロットマシンの価格を低下させることができる。
【００９１】
実施の形態４．
図１１は本発明の実施の形態４に係るスロットマシンを構成する接続装置１５１の構成を表す断面図、図１２は電源プラグ８９が挿入された状態における接続装置１５１の構成を表す断面図である。この接続装置１５１は、図５及び図６に示す接続装置８６に換えて、例えば、スロットマシンの側板に取り付けられる。すなわち、接続装置１５１は、図５に示すスロットマシン７１を例にとると、筐体７２を構成する側板７２ｂの接続装置８６が取り付けられている箇所と略同一箇所に取り付ければ良い。この接続装置１５１以外のスロットマシンの構成は上記した実施の形態２に係るスロットマシン７１の構成と同様であるので、その説明を省略する。
【００９２】
接続装置１５１は、コンセント１６１及び１６２が上下方向に配列されて構成されている。コンセント（第１の接続部材）１６１は、一対の刃受（接続部）１６１ａと、一対の刃受１６１ａを囲む絶縁性の収納ケース１６１ｂとを有している。同様に、コンセント（第２の接続部材）１６２は、一対の刃受（接続部）１６２ａと、一対の刃受１６２ａを囲む絶縁性の収納ケース１６２ｂとを有している。
【００９３】
コンセント１６１及び１６２の前側には、所定の間隔を隔ててプレート１５２が取り付けられている。プレート１５２には、コンセント１６１及び１６２に対向した箇所に、異なる開口面積を有するの挿入口１５２ａ及び１５２ｂが穿設されている。すなわち、コンセント１６１に対向する挿入口（第１の露出部）１５２ａの開口面積は、コンセント１６２に対向する挿入口（第２の露出部）１５２ｂの開口面積よりも大きく設定されている。
【００９４】
また、コンセント１６１及び１６２の前側であって、プレート１５２の後側には、案内板１５３がネジ１５４によって固定されている。案内板１５３は、一対の刃受１６１ａに臨む挿入口１５３ａと、一対の刃受１６１ａに臨む挿入口１５３ｂとが穿設されている。
【００９５】
コンセント１６１及び１６２の前側であって、案内板１５３とプレート１５２との間には、遮へい機構１５５が設けられている。遮へい機構１５５は、シャッター１５６と、弾性部材１５７とから構成されている。シャッター１５６は、一側端が挿入口１５２ａの下端に臨むとともに、他端側は挿入口１５２ｂに位置して一対の挿入口１５３ｂに臨んでいる。シャッター１５６は、一対の挿通口１５６ａが穿設され、図１１中上下方向に摺動可能に移動する。弾性部材１５７は、例えば、バネ等からなり、シャッター１５６を図１１中上方向に付勢する。
【００９６】
シャッター１５６は、コンセント（第１の接続部材）１６１に電源プラグ８９（図１２参照）が挿入されていない状態では、弾性部材１５７の伸長によりシャッター１５６を図１１中において上方向に付勢することにより、挿入口１５３ｂと挿通口１５６ａが一致せず、コンセント（第２の接続部材）１６２への電源プラグの挿入が阻止されている。一方、図１２に示すように、コンセント１６１に電源プラグ８９が挿入された時には、弾性部材１５７が圧縮されて挿入口１５３ｂと挿通口１５６ａとが一致することにより、コンセント１６２への電源プラグの挿入が可能となる。
【００９７】
シャッター１５６の下端部が略直角にコンセント１６２側に折り曲げられることにより、ストッパー１５６ｂが形成されている。このストッパー１５６ｂは、案内板１５３の下端に当接することにより、シャッター１５６が必要以上に図１１及び図１２中において上方向に移動するのを止めるためのものである。
【００９８】
以上説明した構成を有することにより、接続装置１５１は、コンセント１６１に電源プラグ８９が挿入されていない状態では、弾性部材１５７の付勢によりシャッター１５６が図１１において上側に移動し、ストッパー１５６ｂが案内板１５３の下端に当接して停止している。この状態では、案内板１５３の挿入口１５３ｂとシャッター１５６の挿通口１５６ａとが一致せず、コンセント１６２への電源プラグの挿入が阻止されている。
【００９９】
次に作業者が電源プラグ８９を構成する一対の端子８９ａをコンセント１６１を構成する一対の刃受１６１ａに挿入すると、上記一対の端子８９ａの挿入に伴って、電源プラグ８９の側部８９ａにより弾性部材１５７に抗してシャッター１５６の上端が図１２において下方向に押圧される。これにより、弾性部材１５７が圧縮されて案内板１５３の挿入口１５３ｂとシャッター１５６の挿通口１５６ａとが一致するので、コンセント１６２への電源プラグの挿入が可能となる。
【０１００】
このような作業は、組立作業において、スロットマシンを構成する筐体７２の所定の位置に電源装置８５を取り付けるとともに行う。これにより、この作業の後は、電源コード８８が纏まっているため、作業者が引っ掛けることが少ない。作業者は、組み上がったスロットマシンを電源オン状態とした後、品質検査を行う作業者に当該スロットマシンを引き渡す。
【０１０１】
品質検査を行う作業者は、以下に示す手順を踏むことにより、上記品質検査を行う。
（１）スロットマシンの右側板７２ｂから露出しているコンセント１６２に、工場内に設置された電源装置（外部電源）から延出された電源コード（コード）の給電用コネクタ（給電用接続部材）を接続する。
（２）所定の品質検査を行う。
（３）スロットマシンの右側板７２ｂから露出しているコンセント１６２から上記電源コードの給電用コネクタを取り外す。
【０１０２】
上記品質検査を行った結果、当該スロットマシンが良品と判定されると、梱包される。この梱包作業中でも電源コード８８が纏まっているため、電源コード８８や電源プラグ８９が梱包用の箱に引っ掛かるなど、梱包作業の妨げになることはない。そして、梱包されたスロットマシンを遊技店（ホール）の島等に設置する際には、作業者は、電源プラグ８９を接続装置１５１を構成するコンセント１６１から引き抜いた後、その電源プラグ８９を島側の給電用コネクタ（コンセントなど）に挿入する。これにより、この給電用コネクタから電源プラグ８９を介して当該スロットマシンを構成する電源装置８５に電源が供給される。
【０１０３】
このように、本発明の実施の形態４によれば、電源プラグ８９の一対の端子８９ａは、組立作業中も品質検査中も常に接続装置１５１を構成するコンセント１６１の刃受１６１ａに挿入されている。したがって、電源プラグ８９の一対の端子８９ａは、スロットマシンの外部に露出することはない。この結果、電源プラグ８９の一対の端子８９ａは、外気等の影響により酸化するなど、品質が劣化して接触不良等、故障の原因になるおそれがない。
【０１０４】
上記した品質検査において、工場内に設置された電源装置から延出された電源コードの給電用コネクタがたとえ汚れている場合であっても、その汚れは上記電源プラグ８９の露出した端子８９ａに付着し、接触不良等、故障の原因になるおそれはない。さらに、上記品質検査を行う作業者が不慣れであったり、乱暴であったりした場合であっても、上記給電用コネクタは、接続装置１５１から露出したコンセント１６２と接続されるので、上記電源プラグ８９の端子８９ａを変形させてしまうおそれはない。
【０１０５】
また、本発明の実施の形態４によれば、スロットマシンを回転させなくても、接続装置１５１を構成するコンセント１６２に、工場内に設置された電源装置から延出された電源コードの給電用コネクタを抜き差しすることができ、作業性が向上する。さらに、工場内にスロットマシンを回転させるためのターンテーブル等の装置を設置する必要がないため、その分工場設備の経費を削減でき、ひいてはスロットマシンの価格を低下させることができる。
【０１０６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の実施の形態３において、電源プラグ８９の一対の端子８９ａがコンセント１４２の一対の刃受１４２ｃに完全に挿入されるとともに、電源プラグ１４３の一対の端子１４３ａが開口１４４ｃｂから突出した段階でコンセント１４２が係止される係止部を、例えば、接続装置１４１を構成する側板１４４ａ及び１４４ｂに設けても良い。
【０１０７】
また、上述の実施の形態１では電源プラグ部６３を、上述の実施の形態２では電源プラグ１３２を、上述の実施の形態３では電源プラグ１４３を、上述の実施の形態４ではコンセント１６２をそれぞれ設ける例を示したが、これに限定されない。例えば、上述の実施の形態１では電源プラグ部６３に換えてコンセント部を、上述の実施の形態２では電源プラグ１３２に換えてコンセントを、上述の実施の形態３では電源プラグ１４３に換えてコンセントを、上述の実施の形態４ではコンセント１６２に換えて電源プラグをそれぞれ設けても良い。
また、接続装置１８、８６、１４１又は１５１は、上記各実施の形態におけるパチンコ遊技機又はスロットマシンの取付位置及び取付方向に限定されず、任意の位置に任意の向きで取り付けることが可能である。
また、上述の各実施の形態は、その目的及び構成等に特に矛盾や問題がない限り、互いの技術を流用することができる。
【図面の簡単な説明】
【０１０８】
【図１】本発明の実施の形態１に係る遊技機の１つであるパチンコ遊技機の皿ユニットを開放した状態における外観構成を示す正面図である。
【図２】図１に示すパチンコ遊技機の外観構成を示す背面図である。
【図３】図１及び図２に示すパチンコ遊技機を構成する接続装置の構成を表す断面図である。
【図４】図３に示す接続装置の電源プラグが挿入された状態における構成を表す断面図である。
【図５】本発明の実施の形態２に係る遊技機の１つであるスロットマシンの外観構成を示す斜視図である。
【図６】図５に示すスロットマシンの前扉を開放した状態における構成を示す正面図である。
【図７】図５及び図６に示すスロットマシンを構成する筐体に取り付けられた接続装置の構成を表す平面図である。
【図８】図７に示す接続装置に電源プラグが挿入された状態における構成を表す平面図である。
【図９】本発明の実施の形態３に係るスロットマシンを構成する接続装置の構成を表す概略図であり、（ａ）は断面図、（ｂ）は（ａ）のＡ−Ａ断面図である。
【図１０】図９に示す接続装置に電源プラグが挿入された状態における構成を表す断面図である。
【図１１】本発明の実施の形態４に係るスロットマシンを構成する接続装置の構成を表す断面図である。
【図１２】図１１に示す接続装置に電源プラグが挿入された状態における構成を表す断面図である。
【符号の説明】
【０１０９】
１…パチンコ遊技機、１１…外枠、１２…前枠、１３…ガラス扉、１４…皿ユニット、１５…施錠装置、１６…遊技盤、１７…放音装置、１８，８６，１４１，１５１…接続装置、１８ａ…背面（第１の露出部）、１８ａａ…背面開口（第１の露出部）、１８ｂ…前面（第２の露出部）、１８ｂａ…前面開口（第２の露出部）、２１…センター飾り、２２…図柄表示装置、２３…始動チャッカー（始動入賞口、抽選入賞口）、２４…スルーチャッカー、２５…二連入賞口、２６…アタッカー（大入賞口）、３１…スピーカ、３２…球発射装置、３３…発射ハンドル、４１…賞球タンク、４２…サブ制御基板、４３…主制御基板、４４…払出し制御基板、４５…外部端子板、４６…賞球装置、４７…電源ユニット（電源装置）、４８…発射制御基板、５１，８８，１３５，１４５…電源コード（コード）、５２，８９…電源プラグ（受電用コネクタ、受電用接続部材）、５２ａ，６３ａ，８９ａ，１３１ａ，１３２ａ，１４３ａ…端子、６１…複合部材、６１ａ…後端部、６１ａａ，６１ａｂ，６１ｂａ，６１ｂｂ…凹部、６１ｂ…前端部、６２…コンセント部（第１の接続部材）、６２ａ，１３１ａ，１４２ｃ，１６１ａ，１６２ａ…刃受（接続部）、６２ｂ…背面、６３…電源プラグ部（第２の接続部材）、６４，１３３，１４４…筐体、６４ａ…後端、６４ｂ…前端、６５，６６…係止突起部、７１…スロットマシン、７２…筐体、７２ａ，７２ｂ…側板、７２ｃ…底板、７２ｄ…背板、７３…前扉、７３ａ…操作卓、７３ｂ，７３ｃ…端部、７４…蝶番機構、８１…棚板、８２…回胴装置、８３…ホッパ装置、８３ａ…メダル排出口、８４…オーバーフロータンク、８５…電源装置、８６ａ…後端部（第１の露出部）、８６ａａ…後端部開口（第１の露出部）、８６ｂ…側端部（第２の露出部）、８６ｂａ…側端部開口（第２の露出部）、８７…メイン制御基板、９１…リール、１０１…メダル投入部、１０２…１ベットボタン、１０３…マックスベットボタン、１０４…精算ボタン、１０５…スタートレバー、１０６…ストップボタン、１０７…鍵穴、１１１…中パネルユニット、１１１ａ…表示窓、１１２…表示部、１１２ａ，１１２ｂ…サイドランプ、１１３…上パネル部、１１３ａ…上部ランプ、１１３ｂ，１１３ｃ…コーナランプ、１１３ｄ，１１３ｅ…放音部、１１３ｄａ，１１３ｅａ…スピーカ、１１３ｆ…画像表示部、１１４…下パネル、１１５…受皿ユニット、１１５ａ…受皿、１１５ｂ…背板、１１５ｂａ，１１５ｂｂ…貫通孔、１１５ｃ，１１５ｄ…放音部、１１５ｃａ，１１５ｄａ…スピーカ、１１５ｅ…メダル払出口、１１６…灰皿、１１７…サブ制御基板、１１８…リール照明部、１１９…中央表示基板、１２０…メダルセレクタ、１２１…メダルガイド部、１２２…フローシュート、１２３…メダル払出通路、１３１，１４２，１６１…コンセント（第１の接続部材）、１３１ｂ，１３２ｂ…側面、１３２，１４３…電源プラグ（第２の接続部材）、１３３ａ，１３３ｃ…溝、１３３ｂ，１３３ｄ…有底穴、１３４…らせん体、１３６，１３７…係止突起部、１４２ａ，１４３ｂ…突起部、１４２ｂ，１４３ｃ…ピン、１４４ａ，１４４ｂ…側板、１４４ｃ…前板、１４４ｃａ，１４４ｃｂ…開口、１４４ｄ…背板、１４４ｄａ…突起部、１４４ｄａａ…貫通孔、１４６…揺動部材、１４６ａ…一端、１４６ａａ，１４６ｂａ，１４６ｂｂ…貫通孔、１４６ｂ…他端、１４７，１４８…レール、１４９…回転軸、１５０，１５７…弾性部材、１６２…コンセント（第２の接続部材）、１５２…プレート、１５２ａ，１５２ｂ…挿入口、１５３…案内板、１５３ａ，１５３ｂ…挿入口、１５４…ネジ、１５５…遮へい機構、１５６…シャッター、１５６ａ…挿通口、１５６ｂ…ストッパー、１６１ｂ，１６２ｂ…収納ケース
【図１】
0005105537.tif 000002
【図２】
0005105537.tif 000003
【図３】
0005105537.tif 000004
【図４】
0005105537.tif 000005
【図５】
0005105537.tif 000006
【図６】
0005105537.tif 000007
【図７】
0005105537.tif 000008
【図８】
0005105537.tif 000009
【図９】
0005105537.tif 000010
【図１０】
0005105537.tif 000011
【図１１】
0005105537.tif 000012
【図１２】
0005105537.tif 000013